(57)【要約】【課題】支軸体に対するフックの係合構造として、簡明かつ量産性を維持しながら、組立性に優れると共に、より安定かつ破損し難くする。【解決手段】紐用取付部１２及び軸孔付きの対向した一対の片部１４を有したハンガー１と、両片部１４の間に配置されて概略筒形の筒部３４により区画されて上下方向に貫通した係合孔３４ａ及び各片部１４の軸孔１６に回動自在に係合する一対の軸部３２を有した支軸体３と、係合孔３４ａに回動自在に係合する頭部２３を有したフック２とからなるストラップ用連結具４において、筒部３４は縦スリット３６を介して複数の係止片３５に分割されていると共に、各係止片３５は基部側である下部分に設けられて柔軟性ないしは弾性を高めるための開口３７を有していることを特徴としている。【選択図】図７
2013169417.tif 000002
【特許請求の範囲】
【請求項１】
紐用取付部及び軸孔付きの対向した一対の片部を有したハンガーと、前記両片部の間に配置されて概略筒形の筒部により区画されて上下方向に貫通した係合孔及び前記各片部の軸孔に回動自在に係合する一対の軸部を有した支軸体と、前記係合孔に回動自在に係合する頭部を有したフックとからなるストラップ用連結具において、
前記筒部は縦スリットを介して複数の係止片に分割されていると共に、前記各係止片は基部側である下部分に設けられて柔軟性ないしは弾性を高めるための開口を有していることを特徴とするスラップ用連結具。
【請求項２】
前記開口は前記係止片の板幅略中間にあって下側から上向きに溝状に延びていることを特徴とする請求項１に記載のスラップ用連結具。
【請求項３】
前記支軸体は前記筒部を内側に配設して周囲に前記軸部を設ている外筒部を有した二重筒状からなると共に、前記筒部は前記頭部が前記係止片の揺動変位を伴って筒内より筒外に突出した係合状態で前記外筒部の内側にほぼ収まる長さであることを特徴とする請求項１又は２に記載のスラップ用連結具。
【発明の詳細な説明】
【技術分野】
【０００１】
本発明は、例えばバックやリックサックに着脱可能に付設されるショルダーストラップなどに好適なストラップ用連結具に関する。
【背景技術】
【０００２】
図８（ａ）は特許文献１に開示のものである。この連結具は、２点構成つまり空間Ｓ及び上下方向に貫通した係合孔を有したハンガー（めすフック部材）２と、前記係合孔に係合される頭部１３を有したフック（おすフック部材）１とからなる。フック１は、頭部１３がハンガー側係合孔に一方から他方に貫通した状態に係合されることにより、ハンガー２に対して水平方向に３６０度回動自在に支持される。
【０００３】
図８（ｂ）は特許文献２に開示のものである。この連結具は、３点構成つまり軸孔１２１Ａ,１２１Ｂ付きの一対の片部を有したハンガー（ハンガー部）１と、前記両片部の間に配置されて上下方向に貫通した係合孔及び各片部の軸孔１２１Ａ,１２１Ｂに回動自在に係合する一対の軸部２２Ａ,２２Ｂを有した支軸体２と、前記係合孔に回動自在に係合する頭部３１を有したフック（ホック体）３とからなる。支軸体２は、軸部２２Ａ,２２Ｂが対応する片部の軸孔１２１Ａ，１２１Ｂに係合されて、ハンガー１に対して上下方向に回動自在に支持される。フック３は、頭部３１が支軸体２の係合孔に貫通した状態に係合されることにより、支軸体２に対して水平方向に３６０度回動自在に支持される。
【０００４】
また、以上の連結具は、中華民国第１６３５５９号特許に開示の構造について、支軸体に対するフックの係合構造を改良し安定かつ強靱なものにしたものと記載されている。すなわち、この構造特徴は、特に、支軸体２が中央部に係合孔を形成していると共に、フックの頭部３１の外径よりも大きな収納部を形成している点、フックの頭部３１を係合孔に圧入した後、頭部の両側を前記収納部内側に所定幅突出されると共に、頭部底面を前記収納部の内側上表面に当接させる点にある。
【先行技術文献】
【特許文献】
【０００５】
【特許文献１】特許第２８８７７４９号公報
【特許文献２】特開２０００−２４０６３４号公報
【発明の開示】
【発明が解決しようとする課題】
【０００６】
図８（ｂ）の３点構成では、同（ａ）の２点構成に比べフックが支軸体を介して水平及び上下の２方向に回動されるため自由度が高く使い勝手に優れている。ところが、この構造では、フックの頭部を、支軸体側収納部に通じる単純な縦孔である係合孔に強制的に押し込めて収納部に突出させるため組立作業性が悪く割れなどの破損も生じ易くなり、また係合度合いを緩くすると外れ易くなる。また、フックは、支軸体に支持された状態で頭部の底面全体が収納部の内側上表面に当接しているため、使用時の下向き荷重を受けていると大きな摩擦抵抗により水平方向のスムースな回動が維持されなくなることもある。
【０００７】
本発明の目的は、以上のような問題を解消して、簡明かつ量産性を維持しながら、支軸体に対するフックの係合構造として、組立性に優れると共に、より安定かつ破損し難くして、使い勝手及び信頼性を向上し用途拡大を図ることにある。
【課題を解決するための手段】
【０００８】
上記目的を達成するため請求項１の発明は、紐用取付部及び軸孔付きの対向した一対の片部を有したハンガーと、前記両片部の間に配置されて概略筒形の筒部により区画されて上下方向に貫通した係合孔及び前記各片部の軸孔に回動自在に係合する一対の軸部を有した支軸体と、前記係合孔に回動自在に係合する頭部を有したフックとからなるストラップ用連結具において、前記筒部は縦スリットを介して複数の係止片に分割されていると共に、前記各係止片は基部側である下部分に設けられて柔軟性ないしは弾性を高めるための開口を有していることを特徴としている。
【０００９】
以上の発明においては次のように具体化されることがより好ましい。すなわち、
（１）前記開口は前記係止片の板幅略中間にあって下側から上向きに溝状に延びている構成である（請求項２）。なお、このような開口は、径止片の耐久性ないしは強度を維持するため形態のごとく縦スリットのスリット幅よりも小さな隙間の溝状に形成される。
（２）前記支軸体は前記筒部を内側に配設して周囲に前記軸部を設ている外筒部を有した二重筒状からなると共に、前記筒部は前記頭部が前記係止片の揺動変位を伴って筒内より筒外に突出した係合状態で前記外筒部の内側にほぼ収まる長さからなる構成である（請求項３）。
【発明の効果】
【００１０】
請求項１の発明では、フックの頭部を支軸体の筒部に回動自在に係合する構造において、支軸体側筒部が縦スリットを介し複数の係止片に分割され、かつ各係止片が基部側である下部分に設けられた開口の存在により、前記開口を有しないものに比べ適度な柔軟性ないしは弾性が付与される。すなわち、各係止片の柔軟性ないしは弾性を基部側の開口により高くする構成は、例えば、係止片の肉厚を薄くする構成、係止片自体の板幅を狭くするため縦スリットの数を多くしたりスリット幅を大きくする構成に比べ、フック側頭部を複数の係止片で区画される筒内より筒外へ突出して係合する際に良好な係合操作を維持し易い点、係合状態で使用時の下向き荷重に対し係合解除したり係止片の破損などを生じ難い点などで優れている。これにより、本発明は、３点構成の利点に加え、組立性に優れると共により安定かつ破損し難くして、使い勝手及び信頼性を向上できる。
【００１１】
請求項２の発明では、本発明の開口が係止片の板幅略中間にあって下側から上向きに溝状に延びているため、開口に起因した係止片の強度低下を最小限に抑えながら、係止片に最適な状態で柔軟性ないしは弾性を付与できる。
【００１２】
請求項３の発明では、支軸体が複数の係止片で区画される筒部を外筒部で目視不能に覆っているため、また筒部がフック側頭部を係止片の揺動変位を伴って筒内より筒外に突出した係合状態で外筒部の内側にほぼ収まる長さとなっているため、使用状態での外観特性に優れると共に、フック側頭部の係合状態を安定に維持可能となる。
【図面の簡単な説明】
【００１３】
【図１】（ａ）は本発明形態の連結具を使用状態で示す正面図、（ｂ）は（ａ）のＡ部を一部破断した状態で示す拡大図である。
【図２】上記連結具の基本作動を示し、（ａ）はフックを水平方向に回動するときの正面図、（ｂ）はフックを支軸体を介し上下方向に回動するときの側面図である。
【図３】（ａ）は上記連結具を構成しているハンガー及び支軸体の関係を示し、（ｂ）は（ａ）のＢ部を示す要部拡大図である。
【図４】上記連結具を構成しているフック単品を示し、（ａ）は上面図、（ｂ）は正面図、（ｃ）は（ｂ）のＣ−Ｃ線矢視断面図、（ｄ）は背面図、（ｅ）は側面図である。
【図５】上記連結具を構成しているハンガー及び支軸体を示し、（ａ）は上面図、（ｂ）は正面図、（ｃ）は下面図、（ｄ）は背面図、（ｅ）は側面図である。
【図６】（ａ）と（ｂ）は図５（ｂ）のＤ−Ｄ線とＥ−Ｅ線の拡大断面図である。
【図７】（ａ）はフックをハンガーに支持されている支軸体に係合する操作を説明するための一部破断した図、（ｂ）は（ａ）のＦ部を示す要部拡大図である。
【図８】（ａ）は特許文献１の構成図、（ｂ）は特許文献２の構成図である。
【発明を実施するための最良の形態】
【００１４】
本発明の最適な形態を図面を参照しながら説明する。以下の説明では、連結具の構造特徴を明らかにした後、作用特徴に言及する。
【００１５】
（構造特徴）形態の連結具４は、図１に例示したごとくフック２がハンガー１に対し支軸体３を介して上下方向及び水平方向に回動自在に係合支持された状態で提供される。使用例としては、通常、２つの連結具４が各種物品６に用いられるショルダーストラップ５の両端にハンガー１の取付孔１２を利用して装着される。物品６は、鞄、リックサック、長尺物用ケースなどであり、フック２を引っ掛ける対の掛止め部材８が装着されている。掛止め部材８は、フック２を引っ掛ける掛止め孔８ａ及び紐７に取り付ける取付孔８ｂを有しており、物品６の対応部に紐７により装着されている。そして、ショルダーストラップ５は、各連結具４のフック２を物品側の対応する掛止め部材８に着脱可能に引っ掛けた状態で物品６を肩掛け状態に保持可能にする。細部は以下の通りである。
【００１６】
ここで、ハンガー１、フック２、支軸体３は何れもが樹脂成形品からなる。このうち、まず、フック２は、掛止め部材の掛止め孔８ａに引っ掛けられる掛け部２０と、掛け部２０の上端に一体化された座板２１と、座板２１の中央に立設された軸部２２と、軸部２２の上側に設けられた頭部２３とを有している。掛け部２０は、先端２０ａを上側に折り曲げた概略レ字形からなり、座板２１に下設された抜止め用弾性舌片２６により先端折り曲げ部の内側が開閉される。軸部２２は、上に行くほど次第に径小となり、径大となった頭部２３の真下部分が最小径の首部２４となっている。符号２５は軸部２２の周囲に設けられた複数の窪み部２５である。
【００１７】
ハンガー１及び支軸体３は、同じ成形型でワンショットで同時に形成されており、両者がハンガー１の軸孔１６と支軸体３の軸部３２とを遊びを持った状態で係合している。図３及び図５はそのハンガー１及び支軸体３の成形態様で示し、図１及び図２並びに図７は支軸体３が成形態様から略９０度下向き方向に回動された態様で示している。
【００１８】
ハンガー１は、円弧状の下翼部１０及び上翼部１１により横方向に長い取付孔１２を区画していると共に、下翼部１０の下面に突設されて対向している片部１４，１４を有している。上翼部１１は下翼部１０よりも幅細に形成されている。符号１３は上翼部１１の一方側面に設けられた複数の窪み部である。各片部１４は、下翼部１０と同じ幅となっており、下翼部１０との間に逆向きの凹部１５を区画している。各片部１４の中央部には軸孔１６が同軸線上に貫通されている。そして、ハンガー１は、図１（ａ）のごとくショルダーストラップ５の対応する端部を取付孔１２に一旦通した後、ループ状に折り返して縫製等により固定することで内側に上翼部１１を拘束した状態でショルダーストラップ５に取り付けられる。
【００１９】
支軸体３は、片部１４と片部１４の間、つまり逆向きの凹部１５に配置されて概略筒形の筒部３４により区画されて上下方向に貫通した係合孔３３、及び各片部１４の軸孔１６に回動自在に係合する一対の軸部３２を有している。換言すると、支軸体３は、周囲に軸部３２を突設している外筒部３０と、外筒部３０の内側に配設されて上側内径を下側内径より小さく形成されている前記筒部３４との二重筒状となっている。外筒部３０は、縦断面が略Ｌ形となっていて、下端内側にドーナツ形状の底面３１を有している。
【００２０】
筒部３４は、その底面３１に連結一体化されていると共に、縦スリット３６を介して複数（この例では４つ）の係止片３５に分割されている。縦スリット３６は、図７のごとく筒部３４の上端から底面３１の真上まで延びている。また、筒部３４ないしは各係止片３５は、図１（ｂ）に示されるごとく後述するフック２の頭部２３が係止片３５の揺動変位を伴って筒内より筒外に突出した係合状態で、外筒部３０の内側にほぼ収まる長さとなっている。
【００２１】
また、各係止片３５には基部側である下部分に開口３７が設けられている。この開口３７は、図７（ｂ）に示されるごとく各係止片３５の板幅略中間にあって、縦スリット３６よりも小さな隙間の溝状となっていて、底面３１の下から係止片３５の上下中間よりも少し上側まで延びている。この開口構成は、係止片３５が全体の強度低下を最小限に抑えながら、開口３７の存在により柔軟性ないしは弾性を高め、それによりフック２の頭部２３を筒部３４内の係合孔３３から外へ突出して係合する組立時、フック２が頭部２３を係合孔３３に係合した状態で抜け方向の負荷を受けた時などにおいて、係止片３５に生じ易い割れの発生を防止できるようにする。
【００２２】
（作用特徴）以上の構造は従来品に比べて次のような利点を実現している。
（１）組立操作では、フック２がハンガー１に支持されている支軸体３に組み付けられる。この場合は、例えば、図５のハンガー１及び支軸体３の成形態様から、図７のごとく支軸体３がハンガー１に対し軸孔１６に係合している軸部３２を支点として外筒部３０の底面３１が下に位置するよう略９０度上下方向に回動し、その状態で、フック２の頭部２３を筒部３４つまり各係止片３５により区画されている係合孔３３に押入操作する。すると、各係止片３５は、頭部２３から受ける応力により下側の基部を支点として拡径変位して、頭部２３を係合孔３３からと孔外へ通過させる。通過後は、各係止片３５が図１（ｂ）に示されるごとく元の状態に復帰し、それにより先端が軸部２２の径小となった首部２４に当接し抜け止め状態となる。これが各係止片３５に対する頭部２３の係合状態である。
【００２３】
ところで、この種の係合構造では、例えば、縦スリット３７の数を多くして係止片３５の数を増やし５以上で構成したり、縦スリット３７の溝幅を大きくしても、各係止片３５の柔軟性ないしは弾性を高められる。しかし、その場合は、強度低下が問題となる。これに対し、この形態では、各係止片３５の揺動基端である下部分の板幅Ｌが従来と同程度に維持されているため全体の強度低下を最小限に抑え、かつ、各係止片３５が揺動基端側の板幅が開口３７の存在により板幅Ｌの半分以下となるため拡径方向に撓み変形し易くなる。その結果、この構造では、各係止片３５に対する頭部２３の係合操作時に生じ易かった割れの発生を確実に防止できる。
【００２４】
（２）図１及び図２は、以上のようにしてフック２を支軸体３に支持した完成品としての連結具４を示している。この連結具４において、フック２は、図２（ａ）のごとく前記した各係止片３５に軸部２２の頭部２３を支持した状態で水平方向に３６０度回動自在となり、加えて、同（ｂ）のごとくハンガー１に対する支軸体３の回動を介して上下方向に回動自在となる。
【００２５】
ところで、このような連結具４では、使用状態において、更にはフック２が回動によって色々な姿勢で下向き荷重つまり引き抜き方向の負荷を受ける。このため、各係止片３５としては、高い強度ないしは耐久性が要求されると共に、回動特性を維持するため柔軟性ないしは弾性も要求される。この形態では、そのような各要求に対して、各係止片３５の揺動基端である下部分の板幅Ｌが従来と同程度に維持されているため全体の耐久性ないしは強度低下を最小限に抑え、かつ、各係止片３５が揺動基端側の板幅が開口３７の存在により板幅Ｌの半分以下となるため柔軟性ないしは弾性も維持可能となる。その結果、この構造では、従来品に比べて、頭部２３から受ける負荷に起因した各係止片３５の破損の発生をなくしたり、フック２の回動特性を良好に維持できる。
【００２６】
以上の本発明に係るストラップ用連結具は、請求項で特定される構成を実質的に備えておればよく、細部は必要に応じて種々変更したり展開可能なものである。その一例として、使い方はショルダストラップ以外の他のストラップつまり紐、帯、ベルトなどに取り付けられるものである。
【符号の説明】
【００２７】
１・・・ハンガー（１０は下翼部、１１は上翼部、１２は取付部である取付孔）
２・・・フック（２０は掛け部、２１は座板、２２は軸部、２３は頭部、２４は首部）
３・・・支軸体（３０は外筒部、３１は底面、３２は軸部）
４・・・連結具
５・・・ショルダストラップ
６・・・物品
７・・・取付紐
８・・・掛止め部材（８ａは掛止め孔、８ｂは紐用取付孔）
１４・・・片部（１５は凹部、１６は軸孔）
３４・・・筒部（３３は係合孔、３５は係止片、３６は縦スリット、３７は開口）
【図１】
2013169417.tif 000003
【図２】
2013169417.tif 000004
【図３】
2013169417.tif 000005
【図４】
2013169417.tif 000006
【図５】
2013169417.tif 000007
【図６】
2013169417.tif 000008
【図７】
2013169417.tif 000009
【図８】
2013169417.tif 000010